(57)【要約】【課題】ＣＤからＭＤにタイトル情報を適切なフォーマットで記録可能とする。【解決手段】ＣＤのデータトラックに、カタカナ・英数文字で表現されたタイトル情報と、かな漢字・英数文字で表現されたタイトル情報との対からなるフォーマットのタイトル情報を予め記録しておく。制御部３０１は、再生対象のＣＤのデータトラックに記録されたテキスト情報が上記フォーマットのタイトル情報である場合には、カタカナ・英数文字で表されるテキスト情報を、録音対象のＭＤが備えるＵＴＯＣ領域のセクタ１に記録し、かな漢字・英数文字で表されるテキスト情報をＵＴＯＣ領域のセクタ４に記録する。【選択図】図２
2004158120.tif 000002
【特許請求の範囲】
【請求項１】
音楽データと、カタカナ・英数のテキストから構成される第１のテキスト情報と、かな漢字・英数のテキストから構成される第２のテキスト情報とが記録された第１の記録媒体の再生情報を、音楽データ記録領域と、カタカナ・英数テキスト記録領域と、かな漢字・英数テキスト記録領域とを備える第２の記録媒体に記録するための録音・再生装置であって、
前記第１の記録媒体から、前記音楽データ、前記第１及び第２のテキスト情報を再生する記録媒体再生部と、
前記記録媒体再生部により再生された音楽データを前記第２の記録媒体の音楽データ記録領域に記録し、前記第１のテキスト情報を前記第２の記録媒体のカタカナ・英数テキスト記録領域に記録し、前記第２のテキスト情報を前記第２の記録媒体のかな漢字・英数テキスト記録領域に記録する記録媒体記録部とを備える、ことを特徴とする録音・再生装置。
【請求項２】
前記記録媒体再生部により再生したテキスト情報が、前記第１および第２のテキスト情報を含んでいるか否かを判別し、含んでいると判別した場合に、前記記録媒体記録部に、前記第１のテキスト情報を前記第２の記録媒体のカタカナ・英数テキスト記録領域に記録させ、さらに、前記記録媒体記録部に、前記第２のテキスト情報を前記第２の記録媒体のかな漢字・英数テキスト記録領域に記録させる、制御部を備える、
ことを特徴とする請求項１に記載の録音・再生装置。
【請求項３】
前記制御部は、前記記録媒体再生部により再生したテキスト情報が前記第１及び第２のテキスト情報を含んでいると判別した場合に、所定の確認メッセージを出力手段を介して出力し、該確認メッセージに応答してテキストコピーの指示が入力されると、前記第１及び第２のテキスト情報を前記記録媒体記録部を介して前記第２の記録媒体に記録する、
ことを特徴とする請求項２に記載の録音・再生装置。
【請求項４】
音楽データが記録された第１の記録媒体からの再生情報を、音楽データ記録領域と、カタカナ・英数テキスト記録領域と、かな漢字・英数テキスト記録領域とを備える第２の記録媒体に記録するための録音・再生装置であって、
ネットワークを介して所定のデータ処理装置に接続され、前記第１の記録媒体を特定する情報を前記データ処理装置に送信し、
前記第１の記録媒体に記録されている音楽データに関連したカタカナ・英数テキストから構成される第１のテキスト情報とかな漢字・英数テキストから構成される第２のテキスト情報とを、前記データ処理装置から受信する通信手段と、
前記第１の記録媒体から再生した音楽データを前記第２の記録媒体の音楽データ記録領域に記録し、前記通信手段により受信した前記第１のテキスト情報を前記第２の記録媒体のカタカナ・英数テキスト記録領域に記録し、前記通信手段により受信した前記第２のテキスト情報を前記第２の記録媒体のかな漢字・英数テキスト記録領域に記録する記録処理部とを備える、
ことを特徴とする録音・再生装置。
【請求項５】
音楽データとテキスト情報とが記録された第１の記録媒体からの再生情報を、音楽データ記録領域と、カタカナ・英数テキスト記録領域と、かな漢字・英数テキスト記録領域とを備える第２記録媒体に記録するための録音・再生装置であって、
前記第１の記録媒体を再生することにより、前記音楽データ及び前記テキスト情報を取得する記録媒体再生部と、
前記記録媒体再生部により取得した前記音楽データ及び前記テキスト情報を保存するメモリと、
データを前記第２の記録媒体に記録するための記録部と、
前記メモリに保存されている前記テキスト情報が、カタカナ・英数テキストから構成される第１のテキストデータと、かな漢字・英数テキストから構成される第２のテキストデータとを含んでいるか否かを判別し、含んでいると判別した場合に、前記第１のテキストデータを前記記録部により前記第２の記録媒体のカタカナ・英数テキスト記録領域に記録させ、前記第２のテキストデータを前記記録部により前記第２の記録媒体のかな漢字・英数テキスト記録領域に記録させる制御部とを備える、
ことを特徴とする録音・再生装置。
【請求項６】
音楽データが記録された第１の記録媒体からの再生情報を、音楽データ記録領域と、１バイトコードテキスト記録領域と２バイトコードテキスト記録領域とを備える第２記録媒体に記録するための録音・再生装置に、ネットワークを介して、テキスト情報を送信するためのデータ処理装置であって、
前記第１の記録媒体を特定するための情報と、該第１の記録媒体に記録されている音楽データに関連した１バイトコードデータから構成される第１のテキスト情報と、前記音楽データに関連した２バイトコードデータから構成される第２のテキスト情報とを対応付けて蓄積する蓄積手段と、
前記録音・再生装置から通知された第１の記憶媒体を特定する情報を受信する受信手段と、
受信した特定情報により対応付けられている第１と第２のテキスト情報を前記蓄積手段から読み出して、前記録音・再生装置に送信する手段と、
を備えたことを特徴とするデータ処理装置。
【発明の詳細な説明】
【０００１】
【発明の属する技術分野】
本発明は、録音・再生装置およびデータ処理装置に関する。
【０００２】
【従来の技術】
オーディオコンパクトディスク（以下、オーディオＣＤ）のなかには、音楽データと共にプログラムのタイトル、演奏者、演奏時間などのテキストデータ（ＣＤ−ＴＥＸＴ）を記録したものが存在する。ＣＤ−ＴＥＸＴは、オーディオＣＤのリードイン領域のＴＯＣ（Ｔａｂｌｅ  Ｏｆ  Ｃｏｎｔｅｎｔｓ）内の英語エリアと日本語エリアとに区分して記録されている。英語エリアは、１バイトコード（ＡＳＣＩＩコード）を記録する領域であり、日本語エリアは、２バイトコード（シフトＪＩＳコード）を記録する領域である。
【０００３】
一方、ミニディスク（以下、ＭＤ）にも、音楽データと共にテキストデータが記録可能である。ＭＤに関しては、テキストデータ記録用のエリアとして、ＵＴＯＣのセクタ１と４が定義されている。セクタ１は、１バイトコードのカタカナ・英数文字記録用のエリアであり、セクタ４は、２バイトコードの仮名漢字・英数文字記録用のエリアである。
【０００４】
ＣＤ／ＭＤプレーヤのなかには、音楽データと共にＣＤ−ＴＥＸＴを、ＭＤに記録できるものが存在する（例えば、特許文献１参照）。
【０００５】
【特許文献１】
特開２０００−１２３５５１号公報
【０００６】
【発明が解決しようとする課題】
従来のこの種のＣＤ／ＭＤプレイヤは、ＣＤのＴＯＣの英語エリアに記録されているテキストをＭＤのＵＴＯＣのセクタ１に記録し、ＣＤのＴＯＣの日本語エリアに記録されているテキストをＭＤのＵＴＯＣのセクタ４に記録している。従って、従来のＣＤ／ＭＤプレイヤを用いて、ＣＤ−ＴＥＸＴをＭＤに記録すると、英語エリアに記録されている英数テキストが、ＭＤのＵＴＯＣのセクタ１に記録される。これらの領域は、本来、英・数字だけでなく、カタカナが使用できる領域である。そこで、ユーザが、ＭＤのＵＴＯＣに記録されたテキストを、規格が許容する範囲で分かり易いものにしようとすると、テキストの編集作業が必要となり、リモコンによる文字入力等のユーザにとって煩雑な作業が必要であった。
【０００７】
ＣＤのＴＯＣ情報からプログラムのタイトルなどのテキスト情報を抽出して、提供するデータベースサービスも提供されているが、１バイトコードまたは２バイトコードのテキスト情報が提供されるのみで、上述の問題の解決には寄与しない。
【０００８】
同様の問題は、ＣＤからＭＤへの録音の場合に限らず、異なる規格の媒体間で、音楽データと該音楽データに関連するテキストデータを再生・記録する場合に発生する。
【０００９】
本発明は上記実状に鑑みてなされたもので、異なる媒体間で、音楽データとテキストデータを適切に再生・記録できる録音・再生装置を提供することを目的とする。
また、本発明は、音楽データに関連するテキストデータを、記録媒体に適合した適切なフォーマットで提供できるデータ処理装置を提供することを他の目的とする。
【００１０】
【課題を解決するための手段】
前記の課題を解決するため、本発明の第１の観点に係る録音・再生装置は、
音楽データと、カタカナ・英数のテキストから構成される第１のテキスト情報と、かな漢字・英数のテキストから構成される第２のテキスト情報とが記録された第１の記録媒体の再生情報を、音楽データ記録領域と、カタカナ・英数テキスト記録領域と、かな漢字・英数テキスト記録領域とを備える第２の記録媒体に記録するための録音・再生装置であって、前記第１の記録媒体から、前記音楽データ、前記第１及び第２のテキスト情報を再生する記録媒体再生部と、前記記録媒体再生部により再生された音楽データを前記第２の記録媒体の音楽データ記録領域に記録し、前記第１のテキスト情報を前記第２の記録媒体のカタカナ・英数テキスト記録領域に記録し、前記第２のテキスト情報を前記第２の記録媒体のかな漢字・英数テキスト記録領域に記録する記録媒体記録部とを備える、ことを特徴とする。
【００１１】
前記録音・再生装置は、前記記録媒体再生部により再生したテキスト情報が、前記第１および第２のテキスト情報を含んでいるか否かを判別し、含んでいると判別した場合に、前記記録媒体記録部に、前記第１のテキスト情報を前記第２の記録媒体のカタカナ・英数テキスト記録領域に記録させ、さらに、前記記録媒体記録部に、前記第２のテキスト情報を前記第２の記録媒体のかな漢字・英数テキスト記録領域に記録させる、制御部を備えてもよい。
【００１２】
前記制御部は、前記記録媒体再生部により再生したテキスト情報が前記第１及び第２のテキスト情報を含んでいると判別した場合に、所定の確認メッセージを出力手段を介して出力し、該確認メッセージに応答してテキストコピーの指示が入力されると、前記第１及び第２のテキスト情報を前記記録媒体記録部を介して前記第２の記録媒体に記録してもよい。
【００１３】
前記の課題を解決するため、本発明の第２の観点に係る録音・再生装置は、
音楽データが記録された第１の記録媒体からの再生情報を、音楽データ記録領域と、カタカナ・英数テキスト記録領域と、かな漢字・英数テキスト記録領域とを備える第２の記録媒体に記録するための録音・再生装置であって、ネットワークを介して所定のデータ処理装置に接続され、前記第１の記録媒体を特定する情報を前記データ処理装置に送信し、前記第１の記録媒体に記録されている音楽データに関連したカタカナ・英数テキストから構成される第１のテキスト情報とかな漢字・英数テキストから構成される第２のテキスト情報とを、前記データ処理装置から受信する通信手段と、前記第１の記録媒体から再生した音楽データを前記第２の記録媒体の音楽データ記録領域に記録し、前記通信手段により受信した前記第１のテキスト情報を前記第２の記録媒体のカタカナ・英数テキスト記録領域に記録し、前記通信手段により受信した前記第２のテキスト情報を前記第２の記録媒体のかな漢字・英数テキスト記録領域に記録する記録処理部とを備える、
ことを特徴とする。
【００１４】
前記の課題を解決するため、本発明の第３の観点に係る録音・再生装置は、
音楽データとテキスト情報とが記録された第１の記録媒体からの再生情報を、音楽データ記録領域と、カタカナ・英数テキスト記録領域と、かな漢字・英数テキスト記録領域とを備える第２記録媒体に記録するための録音・再生装置であって、
前記第１の記録媒体を再生することにより、前記音楽データ及び前記テキスト情報を取得する記録媒体再生部と、前記記録媒体再生部により取得した前記音楽データ及び前記テキスト情報を保存するメモリと、データを前記第２の記録媒体に記録するための記録部と、前記メモリに保存されている前記テキスト情報が、カタカナ・英数テキストから構成される第１のテキストデータと、かな漢字・英数テキストから構成される第２のテキストデータとを含んでいるか否かを判別し、含んでいると判別した場合に、前記第１のテキストデータを前記記録部により前記第２の記録媒体のカタカナ・英数テキスト記録領域に記録させ、前記第２のテキストデータを前記記録部により前記第２の記録媒体のかな漢字・英数テキスト記録領域に記録させる制御部とを備えることを特徴とする。
【００１５】
前記の課題を解決するため、本発明の第４の観点に係るデータ処理装置は、
音楽データが記録された第１の記録媒体からの再生情報を、音楽データ記録領域と、１バイトコードテキスト記録領域と２バイトコードテキスト記録領域とを備える第２記録媒体に記録するための録音・再生装置に、ネットワークを介して、テキスト情報を送信するためのデータ処理装置であって、前記第１の記録媒体を特定するための情報と、該第１の記録媒体に記録されている音楽データに関連した１バイトコードデータから構成される第１のテキスト情報と、前記音楽データに関連した２バイトコードデータから構成される第２のテキスト情報とを対応付けて蓄積する蓄積手段と、前記録音・再生装置から通知された第１の記憶媒体を特定する情報を受信する受信手段と、受信した特定情報により対応付けられている第１と第２のテキスト情報を前記蓄積手段から読み出して、前記録音・再生装置に送信する手段とを備えたことを特徴とする。
【００１６】
【発明の実施の形態】
以下、本発明の実施の形態に係る録音・再生装置について、ＣＤ（コンパクトディスク）／ＭＤ（ミニディスク）プレイヤを例とし、図面を参照して説明する。
【００１７】
（第１の実施の形態）
この実施の形態のＣＤ／ＭＤプレイヤ３０は、図１に示すように、ＣＤ２０ととＭＤ２５とを装着可能で、装着されたＣＤ２０に記録されている音楽データと音楽データに関連したデータ（音楽データの付随情報としてのテキストデータ）とを録音（記録）対象のＭＤ２５に録音する機能を有する。
【００１８】
このＣＤ／ＭＤプレイヤ３０は、図２に示すように、制御部３０１と、ＣＤ再生部３０２と、ＭＤ録音・再生部３０３と、メモリ３０４と、表示部３０５と、Ｄ／Ａ（Ｄｉｇｉｔａｌ／Ａｎａｌｏｇ）変換部３０６と、パネルボタン部３０７とから構成されている。
【００１９】
制御部３０１は、例えば、マイクロプロセッサを備える１チップマイコンから構成され、パネルボタン部３０７から入力される指示情報に従って、ＣＤ／ＭＤプレイヤ３０の構成要素を総体的に制御する。
【００２０】
ＣＤ再生部３０２は、ＣＤ用光ピックアップ、ＣＤ用信号処理部、ＣＤ用サーボ制御回路等を備え、ＣＤ２０が装填され、制御部３０１の制御に従って、再生対象のＣＤ２０から音楽データとこの音楽データに関連したデータ（付随情報）とを読み取り、制御部３０１に提供する。
【００２１】
なお、再生対象のＣＤ２０はＣＤ−ＥＸＴＲＡであり、図３に示すように、リードイン領域２１とデータ領域２２とを備え、データ領域２２はオーディオデータトラック（Ｓｅｓｓｉｏｎ  １）２３と、データトラック（Ｓｅｓｓｉｏｎ  ２）２４とを有する。リードイン領域２１には、ＴＯＣ（Ｔａｂｌｅ  Ｏｆ  Ｃｏｎｔｅｎｔｓ）情報が記録されている。このＴＯＣ情報は、各プログラム（曲）の開始アドレス、終了アドレス、演奏時間、等の情報、及び、データトラック２４の有無を示す情報等を含む。
オーディオデータトラック２３には、音楽データが記録されている。
【００２２】
一方、データトラック２４は、オーティオデータトラック２３に記録された音楽データに関連したデータを格納するための領域である。
この実施の形態では、このデータトラック２４にこの実施の形態固有のタイトル情報を書き込む。このタイトル情報は、ＣＤ２０に記録されているプログラム（音楽データ）のタイトルを表すテキスト情報から構成され、図４に示すような形式（フォーマット）を有する。すなわち、タイトル情報は、カタカナ・英数文字（１バイトコードのテキスト）から構成されるテキスト情報１１と、テキスト情報１１とほぼ同一の内容で、かな漢字・英数文字（２バイトコードのテキスト）から構成されるテキスト情報１２とを備えたフォーマットを有する。テキスト情報１１とテキスト情報１２は、それぞれ、ディスクタイトル１５，１６及びトラックナンバ（曲番）１３，１４とトラックナンバ１３，１４とに対応付けられているディスクタイトル（曲名）１７，１８とを含む。
【００２３】
ＭＤ録音・再生部３０３は、ＭＤ用信号処理部、ＭＤ用サーボ制御回路、ＭＤ用光ピックアップ、ヘッド駆動回路、記録用磁気ヘッド等を備え、ＭＤ２５が装填され、制御部３０１の制御に従って、ＭＤ２５に音楽データとテキストデータとを記録する。
【００２４】
なお、録音対象のＭＤ２５は、例えば、プログラム領域とＵＴＯＣ領域とを備えるレコーダブルＭＤである。プログラム領域には、音楽データが録音される。一方、ＵＴＯＣ領域は、セクタ０〜４に５分割されており、セクタ０にはＴＯＣ情報が記録される。セクタ１にはカタカナ・英数文字（１バイトコードのテキスト）が記録され、セクタ２には録音年月日等の日付が記録され、セクタ３にはディスクのバーコードが記録される。セクタ４にはカタカナを含むかな漢字・英数文字（２バイトコードのテキスト）が記録される。
【００２５】
メモリ３０４は、例えばＲＡＭから構成され、ＣＤ２０の再生時に、再生して得た音楽データとテキストデータとを一時的に保存する。
【００２６】
表示部３０５は、例えばＬＣＤ（Ｌｉｑｕｉｄ  Ｃｒｙｓｔａｌ  Ｄｉｓｐｌａｙ）パネルから構成され、制御部３０１の制御に従って、任意のデータやメッセージを表示する。
【００２７】
Ｄ／Ａ変換部３０６は、ＣＤ再生部３０２やＭＤ録音・再生部３０３から出力されるデジタルの音楽信号をアナログの音楽信号に変換し、変換して得た音声を外部の図示しないスピーカに出力する。
【００２８】
パネルボタン部３０７は、例えば、再生ボタンや録音ボタン等の操作ボタンから構成される。ユーザはパネルボタン部３０７の操作ボタンを用いて制御部３０１に指示情報を入力することができる。なお、ユーザは図示しないリモートコントローラの操作ボタンを用いて指示情報を制御部３０１に入力してもよい。
【００２９】
次に、上記構成のＣＤ／ＭＤプレイヤ３０の動作について、図５を参照して説明する。図５は、このＣＤ／ＭＤプレイヤ３０の動作を説明するためのフローチャートである。
【００３０】
ユーザは、ＣＤ２０に記録された音楽データをＭＤ２５にダビングしたい場合、ＣＤ再生部３０２とＭＤ録音・再生部３０３とにＣＤ２０とＭＤ２５とをそれぞれ装着する。制御部３０１は、ＣＤ２０とＭＤ２５とが装着されたことを検出し、ＴＯＣ情報とＵＴＯＣ情報とをそれぞれ読み出し、メモリ３０４に格納する。
【００３１】
続いて、ユーザがパネルボタン部３０７から、ＣＤ２０に記録されている音楽データを再生してＭＤ２４に記録することを指示すると、この指示が制御部３０１に伝達され、制御部３０１は、図５に示す処理を開始する。
【００３２】
まず、制御部３０１は、メモリ３０４に予め格納されているＣＤ２０のＴＯＣ情報から、ＣＤ２０がデータトラック（Ｓｅｓｓｏｎ  ２）２４を備えているか否か判別する（ステップＳ１）。
【００３３】
制御部３０１は、ＣＤ２０がデータトラック２４を備えていると判別した場合（ステップＳ１：Ｙｅｓ）、ＣＤ再生部３０２を介して、データトラック２４に記録されているデータを内部レジスタに読み込む（ステップＳ２）。
【００３４】
次に、制御部３０１は、データトラック２４から読み出したデータがテキストデータであるか否かを判別する（ステップＳ３）。
【００３５】
制御部３０１は、読み出したデータがテキストデータであると判別した場合（ステップＳ３：Ｙｅｓ）、該テキストデータが図４に示す特有のフォーマットを有するか否か判別する。即ち、制御部３０１は、該テキストデータが、１バイトコードのテキストデータから構成されるテキスト情報１１と２バイトコードのテキストデータから構成されるテキスト情報１２とから構成される情報であるか否かを判別する（ステップＳ４）。
【００３６】
制御部３０１は、該テキストデータが図４に示す特有のフォーマットを有すると判別した場合（ステップＳ４：Ｙｅｓ）、表示部３０５に、例えば「テキストフォーマットが適合しましたが、タイトル情報をＭＤに記録しますか？」等の確認メッセージを表示させる（ステップＳ５）。
タイトル情報（テキスト情報１１，１２）をＭＤ２５に記録するか否かは、ユーザの任意であり、ユーザは、タイトル情報をＭＤ２５に記録するか否かの指示をパネルボタン部３０７から入力する。この指示は、制御部３０１に伝達される。
【００３７】
制御部３０１は、この指示がタイトル情報の記録を指示しているか否かを判別する。（ステップＳ６）。
制御部３０１は、この指示がタイトル情報の記録を示していると判別した場合には（ステップＳ６：Ｙｅｓ）、読み出したタイトル情報をメモリ３０４に保存する（ステップＳ７）。
【００３８】
続いて、制御部３０１は、ＣＤ再生部３０２を制御してＣＤ２０を再生させ、一方、ＭＤ録音・再生部３０３を制御して再生された音楽データをＭＤ２５に記録させる。より具体的に説明すると、ＣＤ再生部３０２は、制御部３０１の制御に従って、ＣＤ２０を再生し、再生して得た音楽データをメモリ３０４に格納する。ＭＤ録音・再生部３０３は、制御部３０１の制御に従って、ＣＤ再生部３０２がメモリ３０４に格納した音楽データを読み出し、読み出した音楽データをＭＤ２５のプログラム領域に録音する（ステップＳ８）。
【００３９】
なお、ＣＤ再生部３０２は、ＣＤ２０から再生したデジタル音楽信号を、Ｄ／Ａ変換部３０６を介して、図示しないスピーカに出力し、放音させる。
【００４０】
制御部３０１は、ＣＤ２０に記録されている全ての楽曲のＭＤ２５への録音が終了したか否かを判別する（ステップＳ９）。制御部３０１は、全曲の録音が終了したと判別した場合（ステップＳ９：Ｙｅｓ）、メモリ３０４に格納されているタイトル情報のうち、テキスト情報１１をＭＤ２５のＵＴＯＣ領域のセクタ１に記録し、テキスト情報１２をＵＴＯＣ領域のセクタ４に記録する（ステップＳ１０）。
タイトル情報の記録が終了した段階で、ＣＤ／ＭＤプレイヤ３０の再生・記録動作が終了する。
【００４１】
一方、ステップＳ９において、録音が終了していないと判別した場合（ステップＳ９：Ｎｏ）、制御部３０１は、ステップ８に制御動作を戻し、ＣＤ再生部３０２とＭＤ録音・再生部３０３とを制御して録音を継続する。制御部３０１は、この制御動作を繰り返して、全楽曲の録音が終了すると、制御動作を前述のステップＳ１０に進める。
【００４２】
また、制御部３０１は、ステップＳ１において、ＣＤ２０がデータトラック２４を備えていないと判別した場合（ステップＳ１：Ｎｏ）及びステップＳ３において、データトラック２４から読み出したデータがテキストデータではないと判別した場合（ステップＳ３：Ｎｏ）には、ＭＤ２５に記録すべきテキスト情報自体が存在しないので、制御動作をステップＳ１１に進める。
さらに、制御部３０１は、ステップＳ４において、テキストデータがテキストフォーマットに一致しないと判別した場合には（ステップＳ４：Ｎｏ）、ＣＤ２０が、例えば、従来のＣＤ−ＴＥＸＴであり、従来通りのテキスト情報の記録を行う必要があるので、制御動作をステップＳ１１に進める。また、制御部３０１は、ステップＳ６において、タイトル情報を記録しないと指示されたことを判別した場合（ステップＳ６：Ｎｏ）、タイトル情報の記録を行わないので、制御動作をステップＳ１１に進める。
【００４３】
ステップＳ１１において、ＣＤ再生部３０２は、制御部３０１の制御に従って、ＣＤ２０を再生し、再生して得た音楽データをメモリ３０４に格納する。ＭＤ録音・再生部３０３は、制御部３０１の制御に従って、メモリ３０４に格納されている音楽データを読み込み、ＭＤ２５のプログラム領域に録音する（ステップＳ１１）。
【００４４】
制御部３０１は、音楽データに含まれるすべての楽曲の録音が終了したか否か判別する（ステップＳ１２）。
【００４５】
制御部３０１は、録音が終了したと判別した場合（ステップＳ１２：Ｙｅｓ）、ＭＤ録音・再生部３０３に、通常通り、ＭＤ２５のＵＴＯＣ領域に各曲の開始アドレス等の情報を記録する（ステップＳ１３）。ＵＴＯＣ領域への情報の記録が終了した段階で、ＣＤ／ＭＤプレイヤ３０の記録動作が終了する。
【００４６】
一方、ステップＳ１２で録音が終了していないと判別された場合には（ステップＳ１２：Ｎｏ）、制御部３０１は制御動作をステップＳ１１に戻し、ＣＤ再生部３０２とＭＤ録音・再生部３０３とを制御して録音動作を継続する。全曲の録音が終了すると（ステップＳ１２：Ｙｅｓ）、制御部３０１は、動作をステップＳ１３に進め、ＭＤ２５のＵＴＯＣ領域に各曲の開始アドレス等の情報を記録し、今回の再生・記録動作を終了する。
【００４７】
図５の再生・記録動作により、ユーザが図４に示すフォーマットのタイトル情報をデータトラック２４に書き込んだＣＤ（ＣＤ−ＥＸＴＲＡ）を再生してＭＤ２５に記録する場合には、フローはステップＳ１からＳ１０に進み（ステップＳ６でタイトル情報の記録が指示されたことを条件とする）、音楽データをＭＤ２５のプログラム領域に記録し、テキスト情報１１をＵＴＯＣ領域のセクタ１に記録し、テキスト情報１２をＵＴＯＣ領域のセクタ４に記録する。
【００４８】
一方、通常のオーディオＣＤを再生してＭＤに録音する場合には、ステップＳ１でＮｏと判別され、制御動作はステップＳ１１に進む。また、ＣＤ−ＴＥＸＴ準拠のＣＤを再生してＭＤに録音する場合には、ステップＳ１からステップＳ４に進み、ここで、Ｎｏと判別され、フローはステップＳ１１に進む。
【００４９】
なお、ＣＤ／ＭＤプレイヤ３０がＣＤ２０のみ、あるいは音楽データが予め記録されているＭＤ２５のみを再生する場合の動作は、従来と同一である。
【００５０】
以上のような構成を採用することにより、ＣＤ／ＭＤプレイヤ３０は、ＣＤ２０からＭＤ２５にテキストデータを適切なフォーマットで記録することができる。即ち、ＭＤ２５の、カタカナ・英数文字が使用できるセクタ１には、カタカナ・英数文字で表されたタイトル情報が記録され、かな漢字・英数文字が使用できるセクタ４にはかな漢字・英数文字で表されたタイトル情報が記録され、記録後に煩雑な修正などの作業を行う必要がない。
【００５１】
（第２の実施の形態）
第１の実施の形態では、ＣＤ２０のデータトラック２４に、図４に示す形式（フォーマット）を持つタイトルが記録されている場合を例に説明した。しかし、図４に示すようなフォーマットのタイトル情報が記録されているＣＤ２０は一般的ではない。このため、ユーザは、例えばＣＤ−ＥＸＴＲＡ対応のＣＤ−Ｒドライブを備えるコンピュータを用意し、自ら、図４のフォーマットを有するタイトル情報をＣＤ２０に記録しなければならない。しかし、ＭＤ２５にタイトル情報を適切に記録するために、まずＣＤ２０にタイトル情報を記録する、といった過程は、ユーザにとっては煩雑である。
【００５２】
そこで、このような場合に、ＣＤ／ＭＤプレイヤ３０が、ネットワーク上のデータベースから図４に示すような形式のフォーマットを有するタイトル情報を取得できるようにするとよい。
【００５３】
以下、ＣＤ／ＭＤプレイヤ３０が、データベースサーバからタイトル情報を取得し、取得したタイトル情報をＭＤ２５に記録する実施の形態を図６及び図７を参照して説明する。
【００５４】
この実施の形態のタイトル情報提供システムは、ＣＤ／ＭＤプレイヤ３０と、該ＣＤ／ＭＤプレイヤ３０とネットワークとを接続するコンピュータ（以下、ＰＣ）４０と，ネットワーク上に配置され、要求に応じて、タイトル情報を提供するデータベースサーバ５０とから構成されている。
【００５５】
データベースサーバ５０は、例えば、通信制御装置を備える汎用ワークステーションから構成される。データベースサーバ５０は、販売されている既存のオーディオＣＤのＴＯＣ情報等のＣＤを特定するための情報と、ＣＤタイトル、アーティスト、曲名等のオーディオＣＤに関連したテキスト情報（タイトル情報）とを対応付けて蓄積しているデータベース５１を備える。データベースサーバ５０に蓄積されているタイトル情報は、図４に示すように、カタカナ・英数文字（１バイトコードのテキスト）から構成されるテキスト情報１１と、テキスト情報１１とほぼ同一の内容で、かな漢字・英数文字（２バイトコードのテキスト）から構成されているテキスト情報１２とを備えたフォーマットを有する。
【００５６】
また、ＣＤ／ＭＤプレイヤ３０は、図７に示すように、図２に示す構成に加えてインターフェイス３０８を備えている。なお、図２と同一要素については、同一符号を付す。
【００５７】
インターフェイス３０８は、ＰＣ４０とデータの送受信を行うための通信チャンネルであり、制御部３０１と接続されている。
【００５８】
図６に示すＣＤ／ＭＤプレイヤ３０は、市販されている一般的なオーディオＣＤと、ＭＤ２５とがそれぞれセットされ、インターフェイス３０８を介してＰＣ４０と接続されている。ＰＣ４０は、例えば、モデムを用いてインターネット等のネットワークを介してデータベースサーバ５０と接続されている。このＰＣ４０には、ＣＤ／ＭＤプレイヤ３０とデータの送受信を行うために、通信制御用のソフトウェアがアプリケーションとしてインストールされている。
【００５９】
次に、このタイトル情報提供システムの動作について図６及び図７を参照して説明する。
ＣＤ／ＭＤプレイヤ３０のＣＤ再生部３０２とＭＤ録音・再生部３０３とにＣＤとＭＤ２５とがそれぞれ装着されると、ＴＯＣ情報とＵＴＯＣ情報とを読み出し、メモリ３０４に格納する。
【００６０】
次に、制御部３０１は、表示部３０５に、例えば「ネットワークを介してタイトル情報を取得しますか？」等のメッセージを表示させる。続いて、ユーザがパネルボタン部３０７からタイトル情報の取得を指示すると、この指示に応答して、制御部３０１は、メモリ３０４に格納されているＴＯＣ情報をインターフェイス３０８を介してＰＣ４０に出力する。ＰＣ４０は、このＴＯＣ情報を受信し、インターネットを介してデータベースサーバ５０に送信する。
【００６１】
データベースサーバ５０は、このＴＯＣ情報を受信し、送信元のＩＰアドレスと対応付けて記憶する。続いて、データベースサーバ５０は、受信したＴＯＣ情報に一致するＴＯＣ情報をデータベース５１内で検索する。データベースサーバ５０は、検索したＴＯＣ情報に対応付けられているタイトル情報、すなわちテキスト情報１１と１２をデータベース５１から読み出し、記憶しておいたＩＰアドレス宛、即ち、ＰＣ４０宛に送信する。
【００６２】
ＰＣ４０は、データベースサーバ５０から送信されたタイトル情報を受信し、ＣＤ／ＭＤプレイヤ３０に転送する。ＣＤ／ＭＤプレイヤ３０の制御部３０１は、このタイトル情報をインターフェイス３０８を介して受信する。制御部３０１は、このタイトル情報をメモリ３０４に格納する。
【００６３】
制御部３０１は、ＣＤ再生部３０２と、ＭＤ録音・再生部３０３とをそれぞれ制御して、ＣＤの音楽データを再生し、これをＭＤ２５に録音する。録音が終了後、制御部３０１は、ＭＤ録音・再生部３０３を制御して、メモリ３０４に格納されているタイトル情報をＭＤ２５のＵＴＯＣ領域のセクタ１、４に記録させる。
【００６４】
以上説明したように、このタイトル情報提供システムによれば、ＣＤ／ＭＤプレイヤ３０は、図４に示すようなフォーマットを有するタイトル情報をデータベース５１から取得して、ＭＤ２５に適切に記録することができる。従って、ユーザ自らタイトル情報をＣＤ２０に記録するといった過程を省くことができる。従って、ＭＤ２５へのテキストデータの登録を容易に行うことが可能となる。
【００６５】
なお、本発明は上記実施の形態に限定されず、様々の変更及び応用が可能である。例えば、第２の実施の形態では、通信手段としてＰＣ４０を用いたが、ＣＤ／ＭＤプレイヤ３０にモデムなどの通信手段を内蔵し、ＣＤ／ＭＤプレイヤ３０とデータベースサーバ５０との間でネットワークを介して直接通信を行うようにしてもよい。
【００６６】
また、上記実施の形態では、テキスト情報１１とテキスト情報１２とがほぼ同一の内容を有している。しかし、テキスト情報１１の内容が、１バイトコードで適切に表現できるものであり、また、テキスト情報１２の内容が、２バイトコードで適切に表現できるものであるならば、テキスト情報１１とテキスト情報１２との内容が一致しなくてもかまわない。
【００６７】
【発明の効果】
以上説明したように、本発明によれば、音楽データとテキストデータを記録媒体に適切に記録することが可能となる。
【図面の簡単な説明】
【図１】本発明の第１の実施の形態の録音・再生装置に係るコンパクトディスク／ミニディスクプレイヤを説明するための図である。
【図２】図１のコンパクトディスク／ミニディスクプレイヤの構成を示すブロック図である。
【図３】音楽データ及びテキストデータを記録したコンパクトディスクの図である。
【図４】テキストデータのフォーマットの一例を示す図である。
【図５】図１のコンパクトディスク／ミニディスクプレイヤの動作を説明するためのフローチャートである。
【図６】本発明の第２の実施の形態を説明するための図である。
【図７】本発明の第２の実施の形態の録音・再生装置に係るコンパクトディスク／ミニディスクプレイヤの構成を示すブロック図である。
【符号の説明】
１１      １バイトテキスト情報
１２      ２バイトテキスト情報
２０      ＣＤ
２１      リードイン領域
２２      データ領域
２３      オーディオデータトラック
２４      データトラック
２５      ＭＤ
３０      ＣＤ／ＭＤプレイヤ
３０１    制御部
３０２    ＣＤ再生部
３０３    ＭＤ録音・再生部
３０４    メモリ
３０７    パネルボタン部
３０８    インターフェイス
【図１】
2004158120.tif 000003
【図２】
2004158120.tif 000004
【図３】
2004158120.tif 000005
【図４】
2004158120.tif 000006
【図５】
2004158120.tif 000007
【図６】
2004158120.tif 000008
【図７】
2004158120.tif 000009